(57)【要約】      （修正有）【課題】ワークへの接触部分が増え、隣設するグリップ片相互が連繋して、ワークを安定して挟圧保持でき、ワークが小さくても、隣設する弾性グリップをワークが跨いでも、安定した挟圧保持力を発揮でき、グリップ片の反力が一定で、バランス良く挟圧保持でき、構成簡素で、耐久性に優れ、量産に適し、低廉な弾性グリップを提供する。【解決手段】ベース部１と、ベース部１に突設する複数のグリップ片５と、チェーン基体Ｂへの装着手段とを備え、グリップ片５は、搬送方向に沿って等間隔に配すると共に、搬送方向の一方或いは他方に向って湾曲するよう形成し、グリップ片５の湾曲外表面５ａの先端縁７近傍には、先端縁７に対して平行な係止突条６を形成し、ワークを挟圧保持したとき、グリップ片５の先端縁７と係止突条６がワークに接触し、グリップ片５の係止段部６ａに、隣設するグリップ片５の先端縁７が夫々係止するよう構成する。【選択図】図２
0003162603.tif 000002
【実用新案登録請求の範囲】
【請求項１】
ワークを挟持して搬送できるように構成されている一対のグリップチェーンに於いて、チェーン基体に夫々装着されて、ワークを弾性的に直接圧迫する弾性グリップであって、ベース部と、このベース部の外表面がわに突設される複数の取付片と、ベース部の内表面がわに設けられるチェーン基体への装着手段とを備え、前記グリップ片は、チェーン基体の搬送方向に沿って等間隔に配されると共に、搬送方向一方に或いは搬送方向他方に向って全体が夫々湾曲するように形成され、このグリップ片の湾曲外表面の先端縁近傍には、先端縁に対して平行となるような係止突条を形成し、ワークを挟圧保持したときは、グリップ片の先端縁と係止突条がワークに接触すると共に、グリップ片の係止突条の係止段部に、隣設するグリップ片の先端縁が夫々係止されるように構成したことを特徴とするグリップチェーン用弾性グリップ。
【請求項２】
前記装着手段は、チェーン基体に設けた装着孔に差込み装着可能な装着突起をベース部の内表面に突設することにより構成され、この装着突起の先端がわ周縁部に係止顎部を形成して、この係止顎部が装着孔の孔縁部分に係止可能となるよう構成したことを特徴とする請求項１記載のグリップチェーン用弾性グリップ。
【考案の詳細な説明】
【技術分野】
【０００１】
本考案は、適宜ワークを挟持して搬送できるように構成されている一対のグリップチェーンに於いて、チェーン基体に夫々装着されて、ワークを弾性的に直接圧迫する弾性グリップに係り、特に、どのようなワークであっても安定的に挟圧保持できるように工夫したグリップチェーン用弾性グリップに関するものである。
【背景技術】
【０００２】
従来、この種のグリップチェーン用弾性グリップとしては、例えば、特許文献１に示されているような搬送用支持部材が開示されている。
これは、略筒状の物品を挟持して搬送するべく、一定の走行ガイドに沿って対向し無端状で回転駆動される一対のチェーンに連続して設けられた搬送物支持部材において、前記搬送物支持体は弾性を有する部材からなり、前記物品に対向する側面には物品搬送方向に沿った複数の凸部が形成されると共に、該凸部の先端が上方に向くように構成されたものである。
【先行技術文献】
【特許文献】
【０００３】
【特許文献１】実用新案登録公報第２５０７１１７号公報
【考案の概要】
【考案が解決しようとする課題】
【０００４】
ところが、前述の如き搬送物支持部材（弾性グリップ）にあっては、複数の凸部の先端がワークに接触しているだけで、凸部の数だけしかワークと接触せず、ワークが安定しない難点があった。また、ワークに対する搬送物支持部材（弾性グリップ）の反力が一定となり難い難点があった。特に、隣設する搬送物支持部材（弾性グリップ）を跨ぐようにワークが配されているときは、ワークに対する搬送物支持部材（弾性グリップ）の反力が一定とならない問題点等があった。
そこで、本考案は、前述のような問題点や難点等を解消すると共に、構成が簡素で、耐久性に優れ、量産に適し、低廉に提供可能なグリップチェーン用弾性グリップを提供すべく案出されたものである。
【課題を解決するための手段】
【０００５】
しかして、前述の如き課題を達成できるように、請求項１記載のグリップチェーン用弾性グリップＡにあっては、ワークＷを挟持して搬送できるように構成されている一対のグリップチェーンに於いて、チェーン基体Ｂに夫々装着されて、ワークＷを弾性的に直接圧迫する弾性グリップＡであって、ベース部１と、このベース部１の外表面がわに突設される複数のグリップ片５と、ベース部１の内表面がわに設けられるチェーン基体Ｂへの装着手段とを備え、前記グリップ片５は、チェーン基体Ｂの搬送方向に沿って等間隔に配されると共に、搬送方向一方に或いは搬送方向他方に向って全体が夫々湾曲するように形成され、このグリップ片５の湾曲外表面５ａの先端縁７近傍には、先端縁７に対して平行となるような係止突条６を形成し、ワークＷを挟圧保持したときは、グリップ片５の先端縁７と係止突条６がワークＷに接触すると共に、グリップ片５の係止突条６の係止段部６ａに、隣設するグリップ片５の先端縁７が夫々係止されるように構成する手段を採用した。
【０００６】
また、請求項２記載のグリップチェーン用弾性グリップＡにあっては、前記装着手段は、チェーン基体Ｂに設けた装着孔１０に差込み装着可能な装着突起２をベース部１の内表面に突設することにより構成され、この装着突起２の先端がわ周縁部に係止顎部３を形成して、この係止顎部３が装着孔１０の孔縁部分に係止可能となるよう構成する手段を採用した。
【考案の効果】
【０００７】
従って、請求項１記載のグリップチェーン用弾性グリップＡによれば、ワークＷを挟圧保持したときは、グリップ片５の先端縁７と係止突条６がワークＷに接触するようになり、ワークＷへの接触部分が増え、その接触部分も細かいピッチとなることにより、ワークＷへの密着性が良くなって、ワークＷを安定して挟圧保持できるようになる。ひいては、比較的小さなワークＷでも安定して挟圧保持できるようになる。
加えて、ワークＷを挟圧保持したときは、グリップ片５の係止突条６の係止段部６ａに、隣設するグリップ片５の先端縁７が夫々係止されるようになり、隣設するグリップ片５相互が連繋されるようになるため、ワークＷを均等な力でより安定して挟圧保持できるようになる。また、比較的小さなワークＷであっても、安定した挟圧保持が可能となる。更に、グリップ片５が局部変形し難いものとなる。
特に、隣設する弾性グリップＡを跨ぐようにワークＷが保持されている場合であっても、安定した挟圧保持力を発揮できるようになる。
しかも、ワークＷに対する弾性グリップＡのグリップ片５の反力が一定となって、ワークＷをバランス良く挟圧保持できるようになると共に、ワークＷの姿勢が安定する。
更に、弾性グリップＡ自体の構成が簡素となり、耐久性に優れ、量産に適し、低廉に提供できるものとなる。
【０００８】
また、請求項２記載のグリップチェーン用弾性グリップＡによれば、弾性グリップＡをチェーン基体Ｂに簡単に且つ確実に装着できるようになると共に、その互換装着作業も容易で、取扱い易く、使い勝手の良いものとなる。
【図面の簡単な説明】
【０００９】
【図１】本考案のグリップのチェーン基体への装着状態を例示する斜視図である。
【図２】本考案のグリップのチェーン基体への装着状態を例示する一部切欠平面図である。
【図３】本考案の釣りグリップを有するグリップチェーンの使用状態を例示する部分平面図である。
【考案を実施するための形態】
【００１０】
以下、本考案を図示例に基づいて説明すると、次の通りである。
本考案は、適宜ワークＷを挟持して搬送できるように構成されている一対のグリップチェーンに於いて、チェーン基体Ｂに夫々装着されて、ワークＷを弾性的に直接圧迫する弾性グリップＡに係るものである。
具体的には、ベース部１と、このベース部１の外表面がわに突設される複数のグリップ片５と、ベース部１の内表面がわに設けられるチェーン基体Ｂへの装着手段とを備えたものである。
そして、前記グリップ片５は、チェーン基体Ｂの搬送方向に沿って等間隔に配されると共に、搬送方向一方に或いは搬送方向他方に向って全体が夫々湾曲するように形成されている。
しかも、グリップ片５の湾曲外表面５ａの先端縁７近傍には、先端縁７に対して平行となるような係止突条６を形成し、ワークＷを挟圧保持したときは、グリップ片５の先端縁７と係止突条６がワークＷに接触すると共に、グリップ片５の係止突条６の係止段部６ａに、隣設するグリップ片５の先端縁７が夫々係止されるように構成することにより、前記課題を達成する。
【実施例】
【００１１】
前記弾性グリップＡは、例えば、適宜弾性を有する材料によって一体的に構成されている。
しかも、前記ベース部１は、例えば、比較的厚肉な矩形板状に形成され、その外表面がわに複数のグリップ片５が突設され、その内表面がわに装着手段となる装着突起２が中央に突設されている。
【００１２】
前記装着突起２は、例えば、チェーン基体Ｂに形成した矩形状の装着孔１０に嵌合可能に形成されると共に、その先端部分には、装着孔１０の孔縁部分に係止可能な係止顎部３が周設されている。すなわち、装着突起２及び係止顎部３は、自身の弾性変形を利用してチェーン基体Ｂの装着孔１０に強制的に装着できて、一旦装着されると簡単には外れないように構成されている。しかも、弾性グリップＡが損耗したときには、装着突起２及び係止顎部３は、自身の弾性変形によって強制的に取外し可能となるように構成されている。
【００１３】
前記グリップ片５は、例えば、基端がわが厚肉で先端がわに行くに従って漸次薄肉となるような湾曲板状に形成されている。しかも、チェーン基体Ｂの搬送方向に沿って適宜隙間空間を介して等間隔に複数（例えば、三個）配されると共に、搬送方向一方に或いは搬送方向他方に向って湾曲状態が揃えられるように形成されている。
【００１４】
そして、前記係止突条６は、例えば、断面弓形状に形成されており、係止突条６の端縁に於いて、先端縁７から離れた方の端縁と、グリップ片５の湾曲外表面５ａとが交わる部分には、隣設するグリップ片５の先端縁７が係止可能となるような係止段部６ａが凹設されている。尚、この係止段部６ａに、隣設するグリップ片５の先端縁７が係止されるには、隣設するグリップ片５がワークＷを挟圧して弾性変形したときに、その先端縁７が湾曲外表面５ａを先端がわに滑ると共に、係止段部６ａに確実に係止されるよう構成しても良い。
【００１５】
前記チェーン基体Ｂは、例えば、適宜合成樹脂材によって構成され、これは連結ピンＣを介して連結されるようになる。
【００１６】
ところで、弾性グリップＡの具体的構成、形状、寸法、材質、ベース部１の具体的構成、形状、寸法、材質、装着手段の具体的構成、装着突起２の具体的構成、形状、寸法、材質、配設位置、数、係止顎部３の具体的構成、形状、寸法、配設位置、グリップ片５の具体的構成、形状、寸法、材質、数、配設位置、湾曲外表面５ａの具体的形状、係止突条６の具体的構成、形状、寸法、材質、配設位置、係止段部６ａの具体的構成、形状、寸法、配設位置、先端縁７の具体的構成、形状、チェーン基体Ｂの具体的構成、形状、寸法、材質、装着孔１０の具体的形状、寸法、配設位置、数等は図示例のもの等に限定されることなく適宜自由に設定、変更できるものである。
【産業上の利用可能性】
【００１７】
しかして、本考案のグリップチェーン用弾性グリップＡは、ワークＷをより安定的に挟圧保持して、搬送できるようになる。
【符号の説明】
【００１８】
Ａ      弾性グリップ
１      ベース部
２      装着突起
３      係止顎部
５      グリップ片
５ａ    湾曲外表面
６      係止突条
６ａ    係止段部
７      先端縁
Ｂ      チェーン基体
１０    装着孔
Ｃ      連結ピン
Ｗ      ワーク
【図１】
0003162603.tif 000003
【図２】
0003162603.tif 000004
【図３】
0003162603.tif 000005